【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
画像データを受信する画像データ受信手段と、
前記画像データを表示する表示手段と、
前記画像データに基づいて、前記画像データを複数のカテゴリに分類するカテゴリ管理手段と、
前記画像データ受信手段が受信した前記画像データと前記カテゴリとを対応付けて記憶手段に格納する画像データ管理手段と、
前記表示手段により表示される前記画像データに対する印刷要求のユーザ入力を受け付ける印刷要求受付手段と、
前記印刷要求を受け付けた場合に、前記カテゴリに基づいて、前記記憶手段に格納されている前記画像データの中から前記印刷要求の対象の前記画像データに関連する画像データを、印刷対象候補として特定する候補特定手段と
を有することを特徴とする表示装置。
【請求項２】
ユーザからの入力により、前記候補特定手段により特定された前記印刷対象候補の中から印刷対象を選択する印刷対象選択手段と、
印刷対象の画像データに対する印刷命令を印刷装置に送信する印刷命令送信手段と
をさらに有することを特徴とする請求項１に記載の表示装置。
【請求項３】
前記カテゴリ管理手段は、前記画像データと基準画像との類似度に基づいて、前記画像データを複数のカテゴリに分類することを特徴とする請求項１に記載の表示装置。
【請求項４】
前記カテゴリ管理手段は、前記画像データ受信手段が受信した前記画像データに対し、可逆圧縮及び非可逆圧縮のいずれが施されているかに基づいて、前記画像データを複数のカテゴリに分類することを特徴とする請求項１に記載の表示装置。
【請求項５】
前記カテゴリ管理手段は、前記画像データの特徴に基づいて、前記画像データを複数のカテゴリに分類することを特徴とする請求項１に記載の表示装置。
【請求項６】
前記記憶手段のメモリ容量が閾値以下である場合に、各カテゴリに対して設定された優先度に基づいて、圧縮対象のカテゴリを特定する圧縮対象特定手段と、
圧縮対象のカテゴリに分類される前記画像データに対し圧縮処理を施す圧縮手段と
をさらに有し、
前記画像データ管理手段は、圧縮後の前記画像データを前記記憶手段に格納することを特徴とする請求項１に記載の表示装置。
【請求項７】
前記記憶手段のメモリ容量が閾値以下である場合に、各カテゴリに対して設定された優先度に基づいて、削除対象のカテゴリを特定する削除対象特定手段をさらに有し、
前記画像データ管理手段は、削除対象のカテゴリに分類されている前記画像データを削除することを特徴とする請求項１に記載の表示装置。
【請求項８】
前記画像データ受信手段は、複数の情報処理装置それぞれから前記画像データを受信し、
前記表示手段は、複数の前記情報処理装置それぞれから受信した複数の前記画像データを同時に表示し、
前記候補特定手段は、複数の情報処理装置それぞれから受信した前記画像データの中から、前記印刷対象候補を特定することを特徴とする請求項１に記載の表示装置。
【請求項９】
情報処理装置から画像データ及び前記画像データを識別する画像識別情報を受信する画像データ受信手段と、
前記画像データを表示する表示手段と、
前記表示手段により表示される前記画像データに対する印刷要求のユーザ入力を受け付ける印刷要求受付手段と、
前記印刷要求を受け付けた場合に、前記印刷要求の対象の前記画像データの前記画像識別情報を前記情報処理装置に送信する画像識別情報送信手段と、
前記情報処理装置から前記画像識別情報により識別される前記画像データに関連する画像データを、印刷対象候補として示す候補情報を受信する候補情報受信手段と
を有することを特徴とする表示装置。
【請求項１０】
画像データを表示する表示手段と、
前記表示手段により表示される前記画像データを複数のカテゴリに分類するカテゴリ管理手段と、
前記画像データと前記カテゴリとを対応付けて表示装置に送信する画像データ送信手段と
を有することを特徴とする情報処理装置。
【請求項１１】
画像データを表示する表示手段と、
前記表示手段により表示される前記画像データと、前記画像データを識別する画像識別情報と、前記画像データのカテゴリとを対応付けて記憶手段に格納する画像データ管理手段と、
印刷対象の前記画像データの前記画像識別情報を受信する画像識別情報受信手段と、
受信した前記画像識別情報に基づいて、前記印刷対象の前記画像データに関連する前記画像データを、印刷対象候補として特定する候補特定手段と
を有することを特徴とする情報処理装置。
【請求項１２】
表示装置が実行する表示方法であって、
画像データを受信する画像データ受信ステップと、
前記画像データを表示する表示ステップと、
前記画像データに基づいて、前記画像データを複数のカテゴリに分類するカテゴリ管理ステップと、
前記画像データ受信ステップにおいて受信した前記画像データと前記カテゴリとを対応付けて記憶手段に格納する画像データ管理ステップと、
前記表示ステップにおいて表示される前記画像データに対する印刷要求のユーザ入力を受け付ける印刷要求受付ステップと、
前記印刷要求を受け付けた場合に、前記カテゴリに基づいて、前記記憶手段に格納されている前記画像データの中から前記印刷要求の対象の前記画像データに関連する画像データを、印刷対象候補として特定する候補特定ステップと
を含むことを特徴とする表示方法。
【請求項１３】
表示装置が実行する表示方法であって、
情報処理装置から画像データ及び前記画像データを識別する画像識別情報を受信する画像データ受信ステップと、
前記画像データを表示する表示ステップと、
前記表示ステップにおいて表示される前記画像データに対する印刷要求のユーザ入力を受け付ける印刷要求受付ステップと、
前記印刷要求を受け付けた場合に、前記印刷要求の対象の前記画像データの前記画像識別情報を前記情報処理装置に送信する画像識別情報送信ステップと、
前記情報処理装置から前記画像識別情報により識別される前記画像データに関連する画像データを、印刷対象候補として示す候補情報を受信する候補情報受信ステップと
を含むことを特徴とする表示方法。
【請求項１４】
情報処理装置が実行する情報処理方法であって、
画像データを表示する表示ステップと、
前記表示ステップにおいて表示される前記画像データを複数のカテゴリに分類するカテゴリ管理ステップと、
前記画像データと前記カテゴリとを対応付けて表示装置に送信する画像データ送信ステップと
を含むことを特徴とする情報処理方法。
【請求項１５】
情報処理装置が実行する情報処理方法であって、
画像データを表示する表示ステップと、
前記表示ステップにおいて表示される前記画像データと、前記画像データを識別する画像識別情報と、前記画像データのカテゴリとを対応付けて記憶手段に格納する画像データ管理ステップと、
印刷対象の前記画像データの前記画像識別情報を受信する画像識別情報受信ステップと、
受信した前記画像識別情報に基づいて、前記印刷対象の前記画像データに関連する前記画像データを、印刷対象候補として特定する候補特定ステップと
を含むことを特徴とする情報処理方法。
【請求項１６】
コンピュータを、
画像データを受信する画像データ受信手段と、
前記画像データを表示する表示手段と、
前記画像データに基づいて、前記画像データを複数のカテゴリに分類するカテゴリ管理手段と、
前記画像データ受信手段が受信した前記画像データと前記カテゴリとを対応付けて記憶手段に格納する画像データ管理手段と、
前記表示手段により表示される前記画像データに対する印刷要求のユーザ入力を受け付ける印刷要求受付手段と、
前記印刷要求を受け付けた場合に、前記カテゴリに基づいて、前記記憶手段に格納されている前記画像データの中から前記印刷要求の対象の前記画像データに関連する画像データを、印刷対象候補として特定する候補特定手段と
として機能させるためのプログラム。
【請求項１７】
コンピュータを、
情報処理装置から画像データ及び前記画像データを識別する画像識別情報を受信する画像データ受信手段と、
前記画像データを表示する表示手段と、
前記表示手段により表示される前記画像データに対する印刷要求のユーザ入力を受け付ける印刷要求受付手段と、
前記印刷要求を受け付けた場合に、前記印刷要求の対象の前記画像データの前記画像識別情報を前記情報処理装置に送信する画像識別情報送信手段と、
前記情報処理装置から前記画像識別情報により識別される前記画像データに関連する画像データを、印刷対象候補として示す候補情報を受信する候補情報受信手段と
として機能させるためのプログラム。
【請求項１８】
コンピュータを、
画像データを表示する表示手段と、
前記表示手段により表示される前記画像データを複数のカテゴリに分類するカテゴリ管理手段と、
前記画像データと前記カテゴリとを対応付けて表示装置に送信する画像データ送信手段と
として機能させるためのプログラム。
【請求項１９】
コンピュータを、
画像データを表示する表示手段と、
前記表示手段により表示される前記画像データと、前記画像データを識別する画像識別情報と、前記画像データのカテゴリとを対応付けて記憶手段に格納する画像データ管理手段と、
印刷対象の前記画像データの前記画像識別情報を受信する画像識別情報受信手段と、
受信した前記画像識別情報に基づいて、前記印刷対象の前記画像データに関連する前記画像データを、印刷対象候補として特定する候補特定手段と
として機能させるためのプログラム。
【手続補正２】
【補正対象書類名】明細書
【補正対象項目名】０００７
【補正方法】変更
【補正の内容】
【０００７】
そこで、本発明は、表示装置であって、画像データを受信する画像データ受信手段と、前記画像データを表示する表示手段と、前記画像データに基づいて、前記画像データを複数のカテゴリに分類するカテゴリ管理手段と、前記画像データ受信手段が受信した前記画像データと前記カテゴリとを対応付けて記憶手段に格納する画像データ管理手段と、前記表示手段により表示される前記画像データに対する印刷要求のユーザ入力を受け付ける印刷要求受付手段と、前記印刷要求を受け付けた場合に、前記カテゴリに基づいて、前記記憶手段に格納されている前記画像データの中から前記印刷要求の対象の前記画像データに関連する画像データを、印刷対象候補として特定する候補特定手段とを有することを特徴とする。